(57)【要約】【課題】  金融機関、資金需要者、出資者等が、未成立や不成立のＣＦ案件に関する情報を広く活用する。【解決手段】  事業性評価支援装置は、記憶部と、クラウドファンディング企業装置から提供されたクラウドファンディング案件に関するクラウドファンディング案件情報を受け付けて前記記憶部に登録する管理部と、前記クラウドファンディング案件に対する出資情報を前記クラウドファンディング企業装置から取得する取得部と、金融機関装置が選択した前記クラウドファンディング案件について、前記クラウドファンディング案件情報に含まれる事業計画情報及び資金需要者情報、並びに前記出資情報に含まれる出資者の属性情報及び出資状況を表す現況情報を所定のアルゴリズムを用いて分析して事業性評価情報を生成して前記金融機関装置に供給する生成部と、を備えることを特徴とする。【選択図】図２
2019125046.tif 000002
【特許請求の範囲】
【請求項１】
記憶部と、
クラウドファンディング企業装置から提供されたクラウドファンディング案件に関するクラウドファンディング案件情報を受け付けて前記記憶部に登録する管理部と、
前記クラウドファンディング案件に対する出資情報を前記クラウドファンディング企業装置から取得する取得部と、
金融機関装置が選択した前記クラウドファンディング案件について、前記クラウドファンディング案件情報に含まれる事業計画情報及び資金需要者情報、並びに前記出資情報に含まれる出資者の属性情報及び出資状況を表す現況情報を所定のアルゴリズムを用いて分析して事業性評価情報を生成して前記金融機関装置に供給する生成部と、
を備えることを特徴とする事業性評価支援装置。
【請求項２】
請求項１に記載の事業性評価支援装置であって、
前記管理部は、前記金融機関装置が指定する検索条件に合致する前記クラウドファンディング案件の一覧を生成して前記金融機関装置に供給し、
前記生成部は、前記一覧から金融機関装置が選択した前記クラウドファンディング案件について、前記事業性評価情報を生成する
ことを特徴とする事業性評価支援装置。
【請求項３】
請求項２に記載の事業性評価支援装置であって、
前記現況情報には、目標金額に対する出資金額の割合を表す達成率が含まれ、
前記事業計画情報には、募集期間が含まれ、
前記管理部は、前記金融機関装置が指定する前記検索条件に成立状況が含まれている場合、前記達成率と前記募集期間に基づいて、前記クラウドファンディング案件の成立状況を判断して前記一覧を生成する
ことを特徴とする事業性評価支援装置。
【請求項４】
請求項２に記載の事業性評価支援装置であって、
前記事業計画情報には、募集期間が含まれ、
前記管理部は、前記金融機関装置が指定する前記検索条件に募集期間が含まれている場合、前記事業計画情報に含まれる前記募集期間に基づいて、前記クラウドファンディング案件の前記一覧を生成する
ことを特徴とする事業性評価支援装置。
【請求項５】
請求項２に記載の事業性評価支援装置であって、
前記現況情報には、目標金額に対する出資金額の割合を表す達成率が含まれ、
前記管理部は、前記金融機関装置が指定する前記検索条件に達成率が含まれている場合、前記事業現況情報に含まれる前記達成率に基づいて、前記クラウドファンディング案件の前記一覧を生成する
ことを特徴とする事業性評価支援装置。
【請求項６】
請求項２に記載の事業性評価支援装置であって、
前記資金需要者情報には、資金需要者が過去にクラウドファンディングを申し込んだ件数を表す過去件数が含まれ、
前記管理部は、前記金融機関装置が指定する前記検索条件に前記過去件数が含まれている場合、前記資金需要者情報に含まれる前記過去件数に基づいて、前記クラウドファンディング案件の前記一覧を生成する
ことを特徴とする事業性評価支援装置。
【請求項７】
請求項２に記載の事業性評価支援装置であって、
前記管理部は、同一の資金需要者が過去に申し込んだ前記クラウドファンディング案件の前記一覧を生成する
ことを特徴とする事業性評価支援装置。
【請求項８】
請求項１に記載の事業性評価支援装置であって、
前記取得部は、前記金融機関装置からの前記事業性評価情報の要求に応じて前記出資情報を前記クラウドファンディング企業装置から取得する
ことを特徴とする事業性評価支援装置。
【請求項９】
請求項１に記載の事業性評価支援装置であって、
前記取得部は、登録された前記クラウドファンディング案件に対する前記出資情報を前記クラウドファンディング企業装置から予め設定したタイミングで取得する
ことを特徴とする事業性評価支援装置。
【請求項１０】
請求項１に記載の事業性評価支援装置であって、
前記管理部は、前記クラウドファンディング案件情報を出資者装置に供給する
ことを特徴とする事業性評価支援装置。
【請求項１１】
クラウドファンディング企業装置から提供されたクラウドファンディング案件に関するクラウドファンディング案件情報を受け付ける受付ステップと、
前記クラウドファンディング案件情報を記憶部に登録する登録ステップと、
前記クラウドファンディング案件に対する出資情報を前記クラウドファンディング企業装置から取得する取得ステップと、
金融機関装置が選択した前記クラウドファンディング案件について、前記クラウドファンディング案件情報に含まれる事業計画情報及び資金需要者情報、並びに前記出資情報に含まれる出資者の属性情報及び出資状況を表す現況情報を所定のアルゴリズムを用いて分析して事業性評価情報を生成する生成ステップと、
生成した前記事業性評価情報を前記金融機関装置に供給する供給ステップと、
を含むことを特徴とする事業性評価支援方法。
【請求項１２】
コンピュータを、
クラウドファンディング企業装置から提供されたクラウドファンディング案件に関するクラウドファンディング案件情報を受け付けて記憶部に登録する管理部と、
前記クラウドファンディング案件に対する出資情報を前記クラウドファンディング企業装置から取得する取得部と、
金融機関装置が選択した前記クラウドファンディング案件について、前記クラウドファンディング案件情報に含まれる事業計画情報及び資金需要者情報、並びに前記出資情報に含まれる出資者の属性情報及び出資状況を表す現況情報を所定のアルゴリズムを用いて分析して事業性評価情報を生成して前記金融機関装置に供給する生成部と、
して機能させることを特徴とするプログラム。
【請求項１３】
事業性評価支援装置と、
クラウドファンディング企業が用いるクラウドファンディング企業装置と、
金融機関が用いる金融機関装置と、
を含む事業性評価支援システムにおいて、
前記事業性評価支援装置は、
記憶部と、
クラウドファンディング企業装置から提供されたクラウドファンディング案件に関するクラウドファンディング案件情報を受け付けて前記記憶部に登録する管理部と、
前記クラウドファンディング案件に対する出資情報を前記クラウドファンディング企業装置から取得する取得部と、
前記金融機関装置が選択した前記クラウドファンディング案件について、前記クラウドファンディング案件情報に含まれる事業計画情報及び資金需要者情報、並びに前記出資情報に含まれる出資者の属性情報及び出資状況を表す現況情報を所定のアルゴリズムを用いて分析して事業性評価情報を生成して前記金融機関装置に供給する生成部と、
前記クラウドファンディング企業装置は、
資金需要者からクラウドファンディング案件の申し込みを受け付けて前記クラウドファンディング案件情報を前記事業性評価支援装置に提供する提供部と、
前記事業性評価支援装置からの要求に応じて前記クラウドファンディング案件に対する前記出資情報を通知する通知部と、を備え、
前記金融機関装置は、
前記事業性評価支援装置に対して前記事業性評価情報を要求する要求部を、備える
ことを特徴とする事業性評価支援システム。
【発明の詳細な説明】
【技術分野】
【０００１】
本発明は、事業性評価支援装置、事業性評価支援方法、プログラム、及び事業性評価支援システムに関する。
【背景技術】
【０００２】
平成２６年に閣議決定された「日本再興戦略」に応じ、金融機関に対しては「平成２６年度金融モニタリング基本方針」において、事業の内容や成長可能性などを適切に評価（事業性評価）することが求められた。
【０００３】
しかしながら、金融機関の融資審査は旧来から担保や財務評価が重視されており、事業性そのものが適切に評価されているとは言い難い状況にある。実際、現在の信用金庫や信用組合における中小企業向け貸出金残高は微増に止まっており、融資審査に事業性を反映させることが困難であることを物語っている。
【０００４】
ところで、スタートアップ企業や新事業を立上げる個人等（以下、両者を一括して資金需要者と称する）が利用可能な資金調達方法として、クラウドファンディング（以下、ＣＦと略称する）の普及が進んでおり、平成２４年から平成２８年までの５年間のＣＦによる支援金額は６倍以上の伸びを見せている。
【０００５】
ＣＦは、サービスや商品等の購入を希望する多数の一般人（以下、出資者と称する）が資金需要者やその事業内容を見極めて出資してもよいＣＦ案件であるか否かを判断している。したがって、資金需要者にとってファンドが成立したＣＦ案件については、募集金額を調達することができることに加えて、事業内容（サービス、商品等）に対して需要やマーケットが存在していることを確認できる。
【０００６】
このため、金融機関が資金需要者に対する融資審査を行なうに際して、資金需要者が利用したＣＦによる資金調達状況を参考にして、資金需要者が行う事業の事業性を評価する提案がなされている。
【０００７】
例えば特許文献１には、成立済みのＣＦ案件に対する投資の可否を表す指数を金融機関に対して提供する発明が開示されている。
【先行技術文献】
【特許文献】
【０００８】
【特許文献１】特許第５７３３８６９号公報
【発明の概要】
【発明が解決しようとする課題】
【０００９】
特許文献１に記載の発明では、成立済みのＣＦ案件に対する投資の可否を表す指数を、金融機関に提供するに過ぎず、出資者を募集している未成立のＣＦ案件や募集期間が終了した不成立のＣＦ案件に対する資金調達状況が、金融機関だけでなく、資金需要者や出資者等にも広く活用されているとは言い難い。
【００１０】
本発明は、このような状況に鑑みてなされたものであり、金融機関、資金需要者、出資者等が、未成立や不成立のＣＦ案件に関する情報を広く活用できるようにすることを目的とする。
【課題を解決するための手段】
【００１１】
本願は、上記課題の少なくとも一部を解決する手段を複数含んでいるが、その例を挙げるならば、以下のとおりである。上記課題を解決すべく、本発明の一態様に係る事業性評価支援装置は、記憶部と、クラウドファンディング企業装置から提供されたクラウドファンディング案件に関するクラウドファンディング案件情報を受け付けて前記記憶部に登録する管理部と、前記クラウドファンディング案件に対する出資情報を前記クラウドファンディング企業装置から取得する取得部と、金融機関装置が選択した前記クラウドファンディング案件について、前記クラウドファンディング案件情報に含まれる事業計画情報及び資金需要者情報、並びに前記出資情報に含まれる出資者の属性情報及び出資状況を表す現況情報を所定のアルゴリズムを用いて分析して事業性評価情報を生成して前記金融機関装置に供給する生成部と、を備えることを特徴とする。
【００１２】
前記管理部は、前記金融機関装置が指定する検索条件に合致する前記クラウドファンディング案件の一覧を生成して前記金融機関装置に供給することができ、前記生成部は、前記一覧から金融機関装置が選択した前記クラウドファンディング案件について、前記事業性評価情報を生成することができる。
【００１３】
前記現況情報には、目標金額に対する出資金額の割合を表す達成率が含まれ、前記事業計画情報には、募集期間が含まれ、前記管理部は、前記金融機関装置が指定する前記検索条件に成立状況が含まれている場合、前記達成率と前記募集期間に基づいて、前記クラウドファンディング案件の成立状況を判断して前記一覧を生成することができる。
【００１４】
前記事業計画情報には、募集期間が含まれ、前記管理部は、前記金融機関装置が指定する前記検索条件に募集期間が含まれている場合、前記事業計画情報に含まれる前記募集期間に基づいて、前記クラウドファンディング案件の前記一覧を生成することができる。
【００１５】
前記現況情報には、目標金額に対する出資金額の割合を表す達成率が含まれ、前記管理部は、前記金融機関装置が指定する前記検索条件に達成率が含まれている場合、前記事業現況情報に含まれる前記達成率に基づいて、前記クラウドファンディング案件の前記一覧を生成することができる。
【００１６】
前記資金需要者情報には、資金需要者が過去にクラウドファンディングを申し込んだ件数を表す過去件数が含まれ、前記管理部は、前記金融機関装置が指定する前記検索条件に前記過去件数が含まれている場合、前記資金需要者情報に含まれる前記過去件数に基づいて、前記クラウドファンディング案件の前記一覧を生成することができる。
【００１７】
前記管理部は、同一の資金需要者が過去に申し込んだ前記クラウドファンディング案件の前記一覧を生成することができる。
【００１８】
前記取得部は、前記金融機関装置からの前記事業性評価情報の要求に応じて前記出資情報を前記クラウドファンディング企業装置から取得することができる。
【００１９】
前記取得部は、登録された前記クラウドファンディング案件に対する前記出資情報を前記クラウドファンディング企業装置から予め設定したタイミングで取得することができる。
【００２０】
前記管理部は、前記クラウドファンディング案件情報を出資者装置に供給することができる。
【００２１】
本発明の他の態様に係る事業性評価支援方法は、クラウドファンディング企業装置から提供されたクラウドファンディング案件に関するクラウドファンディング案件情報を受け付ける受付ステップと、前記クラウドファンディング案件情報を記憶部に登録する登録ステップと、前記クラウドファンディング案件に対する出資情報を前記クラウドファンディング企業装置から取得する取得ステップと、金融機関装置が選択した前記クラウドファンディング案件について、前記クラウドファンディング案件情報に含まれる事業計画情報及び資金需要者情報、並びに前記出資情報に含まれる出資者の属性情報及び出資状況を表す現況情報を所定のアルゴリズムを用いて分析して事業性評価情報を生成する生成ステップと、生成した前記事業性評価情報を前記金融機関装置に供給する供給ステップと、を含むことを特徴とする。
【００２２】
本発明のさらに他の態様に係るプログラムは、コンピュータを、クラウドファンディング企業装置から提供されたクラウドファンディング案件に関するクラウドファンディング案件情報を受け付けて記憶部に登録する管理部と、前記クラウドファンディング案件に対する出資情報を前記クラウドファンディング企業装置から取得する取得部と、金融機関装置が選択した前記クラウドファンディング案件について、前記クラウドファンディング案件情報に含まれる事業計画情報及び資金需要者情報、並びに前記出資情報に含まれる出資者の属性情報及び出資状況を表す現況情報を所定のアルゴリズムを用いて分析して事業性評価情報を生成して前記金融機関装置に供給する生成部と、して機能させることを特徴とする。
【００２３】
本発明のさらに他の態様に係る事業性評価支援システムは、事業性評価支援装置と、クラウドファンディング企業が用いるクラウドファンディング企業装置と、金融機関が用いる金融機関装置と、を含む事業性評価支援システムにおいて、前記事業性評価支援装置は、記憶部と、クラウドファンディング企業装置から提供されたクラウドファンディング案件に関するクラウドファンディング案件情報を受け付けて前記記憶部に登録する管理部と、前記クラウドファンディング案件に対する出資情報を前記クラウドファンディング企業装置から取得する取得部と、前記金融機関装置が選択した前記クラウドファンディング案件について、前記クラウドファンディング案件情報に含まれる事業計画情報及び資金需要者情報、並びに前記出資情報に含まれる出資者の属性情報及び出資状況を表す現況情報を所定のアルゴリズムを用いて分析して事業性評価情報を生成して前記金融機関装置に供給する生成部と、前記クラウドファンディング企業装置は、資金需要者からクラウドファンディング案件の申し込みを受け付けて前記クラウドファンディング案件情報を前記事業性評価支援装置に提供する提供部と、前記事業性評価支援装置からの要求に応じて前記クラウドファンディング案件に対する前記出資情報を通知する通知部と、を備え、前記金融機関装置は、前記事業性評価支援装置に対して前記事業性評価情報を要求する要求部を、備えることを特徴とする。
【発明の効果】
【００２４】
本発明によれば、金融機関、資金需要者、出資者等が、未成立や不成立のＣＦ案件に関する情報を広く活用することができる。
【００２５】
上記した以外の課題、構成及び効果は、以下の実施形態の説明により明らかにされる。
【図面の簡単な説明】
【００２６】
【図１】本発明に係る一実施の形態である事業性評価支援システムの全体の構成例を示す図である。
【図２】事業性評価支援装置の構成例を示すブロック図である。
【図３】ＣＦ企業ＴＢＬのデータ構造の一例を示す図である。
【図４】金融機関ＴＢＬのデータ構造の一例を示す図である。
【図５】ＣＦ案件ＤＢのデータ構造の一例を示す図である。
【図６】資金需要者ＤＢのデータ構造の一例を示す図である。
【図７】出資者ＤＢのデータ構造の一例を示す図である。
【図８】分析結果ＤＢのデータ構造の一例を示す図である。
【図９】ＣＦ企業装置の構成例を示すブロック図である。
【図１０】終了案件ＤＢのデータ構造の一例を示す図である。
【図１１】金融機関装置の構成例を示すブロック図である。
【図１２】事業性評価情報ＤＢのデータ構造の一例を示す図である。
【図１３】事業性評価支援システムによる処理の一例を説明するシーケンス図である。
【図１４】ＣＦ案件登録処理の一例を説明するフローチャートである。
【図１５】出資者登録処理の一例を説明するフローチャートである。
【図１６】出資情報取得処理の一例を説明するフローチャートである。
【図１７】事業性評価情報提示処理の一例を説明するフローチャートである。
【図１８】ＣＦ案件一覧画面の表示例を示す図である。
【図１９】事業性評価情報閲覧画面の表示例を示す図である。
【図２０】事業性評価データ参照画面の表示例を示す図である。
【図２１】一覧要求画面の表示例を示す図である。
【図２２】コンピュータの構成例を示すブロック図である。
【発明を実施するための形態】
【００２７】
以下、本発明に係る一実施の形態を図面に基づいて説明する。なお、一実施の形態を説明するための全図において、同一の部材には原則として同一の符号を付し、その繰り返しの説明は省略する。また、以下の実施の形態において、その構成要素（要素ステップ等も含む）は、特に明示した場合および原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。
【００２８】
＜本発明に係る一実施の形態である事業性評価支援システムの構成例＞
図１は、本発明に係る一実施の形態である事業性評価支援システムの構成例を示している。
【００２９】
該事業性評価支援システムは、インターネット１に接続された事業性評価支援装置１０、１台以上のＣＦ企業装置２０、１台以上の出資者装置３０、１台以上の金融機関装置４０、及び、１台以上の資金需要者装置５０から構成される。なお、以下に説明する実施の形態では、ＣＦ企業装置２０、出資者装置３０、金融機関装置４０、及び資金需要者装置５０は、複数台存在しているものとして説明する。
【００３０】
事業性評価支援装置１０は、サーバコンピュータや一般的なコンピュータから成る。事業性評価支援装置１０は、複数のＣＦ企業装置２０から提供されるＣＦ案件情報及び出資情報に基づき、ＣＦ案件（ＣＦを申し込んだ資金需要者が、出資者から集めた資金によって実施を計画している事業）に対する事業性評価情報を生成し、生成した事業性評価情報を複数の金融機関に対して提供するものである。事業性評価支援装置１０の構成例については後述する。
【００３１】
ＣＦ企業装置２０は、サーバコンピュータや一般的なコンピュータから成る。ＣＦ企業装置２０は、ＣＦ企業にて用いられ、資金需要者からのＣＦの申し込みに応じ、ＣＦ案件の事業計画をＷｅｂサイト等で公開して出資者を募り、出資者から集めた出資金を資金需要者に供給する。
【００３２】
また、ＣＦ企業装置２０は、事業性評価支援装置１０に対してＣＦ案件情報を提供する。該ＣＦ案件情報には、資金需要者がＣＦによって集めた資金を用いて計画している事業内容を表す事業計画情報と、該資金需要者の属性情報が含まれる。さらに、ＣＦ企業装置２０は、事業性評価支援装置１０からの要求に応じて出資情報を供給する。該出資情報には、ＣＦ案件に対する出資者からの出資状況を表す現況情報と、該出資者の属性情報が含まれる。ＣＦ企業装置２０の構成例については後述する。
【００３３】
出資者装置３０は、ＰＣ、スマートフォン、タブレット等の一般的なコンピュータから成る。出資者装置３０は、出資者に用いられる。出資者は、出資者装置３０を用いてＣＦ企業装置２０や事業性評価支援装置１０に接続し、ＣＦ企業が出資者を募っているＣＦ案件に関する情報を閲覧し、資金需要者の事業計画を見極めて出資するか否かを判断する。
【００３４】
金融機関装置４０は、サーバコンピュータや一般的なコンピュータから成る。金融機関装置４０は、金融機関にて用いられる。金融機関装置４０は、事業性評価支援装置１０に接続し、ＣＦ案件情報や、ＣＦ案件の事業に対する事業性評価情報を取得することができる。また、金融機関装置４０は、事業性評価情報に基づいて資金需要者に対する融資審査を行うことができる。
【００３５】
資金需要者装置５０は、ＰＣ、スマートフォン、タブレット等の一般的なコンピュータから成る。資金需要者装置５０は、ＣＦを利用したい資金需要者に用いられる。資金需要者は、資金需要者装置５０を用いてＣＦ企業装置２０に接続し、ＣＦを申し込むことができる。
【００３６】
次に、図２は、事業性評価支援装置１０の構成例を示している。事業性評価支援装置１０は、制御部１１、記憶部１２、及び通信部１３を有する。
【００３７】
制御部１１は、事業性評価支援装置１０による各処理と機能を総合的に制御する。制御部１１は、認証部１１１、ＣＦ案件管理部１１２、ＣＦ案件情報分析部１１３、出資情報取得部１１４、現況情報処理部１１５、属性情報処理部１１６、及び事業性評価部１１７を有する。
【００３８】
認証部１１１は、他の装置（ＣＦ企業装置２０、出資者装置３０、金融機関装置４０等）からの事業性評価支援装置１０に対するアクセスの可否を判断する。また、認証部１１１は、他の装置のユーザを事業性評価支援装置１０に登録する。例えば、認証部１１１は、出資者装置３０を用いて事業性評価支援装置１０にアクセスし、ＣＦ案件情報の閲覧を希望する出資者の登録を受け付けて、該出資者の属性情報を記憶部１２の出資者ＤＢ１２５に登録する。
【００３９】
ＣＦ案件管理部１１２（本発明の管理部に相当する）は、ＣＦ企業装置２０から提供されるＣＦ案件情報を管理する。具体的には、ＣＦ案件管理部１１２は、ＣＦ案件情報を受け付けて、記憶部１２のＣＦ案件ＤＢ１２３に登録したり、Ｗｅｂサイト上で公開したりする。さらに、ＣＦ案件管理部１１２は、ＣＦ案件ＤＢ１２３に登録されているＣＦ案件の一覧を出資者装置３０や金融機関装置４０に供給する。
【００４０】
ＣＦ案件情報には、事業計画情報（案件名称、事業概要、ファンド形態、申込者ＩＤ、申込日、募集金額、手数料率、募集開始日、募集終了日等）及び資金需要者情報（申込者名、住所、連絡先、過去にＣＦを申し込んだ件数等）が含まれているものとする。
【００４１】
ＣＦ案件情報分析部１１３は、ＣＦ案件情報を分析し、分析結果を記憶部１２の分析結果ＤＢ１２６に記録する。例えば、ＣＦ案件情報分析部１１３は、ＣＦ案件情報に含まれる事業計画情報を分析して事業のカテゴリを分類して類似する他のＣＦ案件を特定したり、ＣＦ案件情報に含まれる資金需要者情報を分析して、該資金需要者が過去に申し込んだＣＦ案件を特定したりする。なお、事業計画情報の中に予めカテゴリ情報を含めるようにしてもよい。
【００４２】
出資情報取得部１１４（本発明の取得部に相当する）は、予め設定した所定のタイミング（例えば、１日１回所定の時刻）でＣＦ企業装置２０に対して出資情報を要求し、この要求に応じて供給される出資情報を取得する。現況情報処理部１１５は、出資情報に含まれる現況情報（ＣＦ案件に対する現在の出資金額、出資口数、達成率等）をＣＦ案件ＤＢ１２３に登録する。
【００４３】
属性情報処理部１１６は、出資情報に含まれる出資者の属性情報（性別、年齢、住所、出資回数等）を、記憶部１２の出資者ＤＢ１２５に登録する。また、属性情報処理部１１６は、出資者の属性情報を分析する。例えば、属性情報処理部１１６は、当該ＣＦ案件の出資者の男女構成、年代構成を算出したり、居住地や出資回数等を集計したりする。さらに、属性情報処理部１１６は、出資者の属性情報の分析結果を記憶部１２の分析結果ＤＢ１２６に記録する。
【００４４】
事業性評価部１１７（本発明の生成部に相当する）は、成立済み、未成立（出資者募集期間中）、及び不成立（出資者募集期間終了）のＣＦ案件について、ＣＦ案件情報と出資情報の分析結果を用い、所定のアルゴリズムに従って事業性評価情報を生成し、生成した事業性評価情報を金融機関装置４０に供給する。例えば、事業性評価部１１７は、ＣＦ案件に対する評価ランクや将来性予想を含む事業性評価情報を生成する。
【００４５】
記憶部１２は、ＣＦ企業ＴＢＬ（テーブル）１２１、金融機関ＴＢＬ１２２、ＣＦ案件ＤＢ（データベース）１２３、資金需要者ＤＢ１２４、出資者ＤＢ１２５、分析結果ＤＢ１２６、及び一時保管ファイル１２７を記憶する。
【００４６】
ＣＦ企業ＴＢＬ１２１には、ＣＦ企業に関する情報が記録される。金融機関ＴＢＬ１２２には、金融機関の支店単位の情報が記録される。ＣＦ案件ＤＢ１２３には、ＣＦ案件に関する情報が記録される。資金需要者ＤＢ１２４には、資金需要者に関する情報が記録される。出資者ＤＢ１２５には、出資者に関する情報が記録される。分析結果ＤＢ１２６には、ＣＦ案件情報や出資情報の分析結果が記録される。一時保管ファイル１２７には、金融機関装置４０に供給されるＣＦ案件の事業性評価情報が一時的に記録され、所定のタイミング（例えば、金融機関装置４０に送信した直後、１日１回所定の時刻等）で消去される。
【００４７】
通信部１３は、インターネット１を介してＣＦ企業装置２０、出資者装置３０、金融機関装置４０等と通信を行う。制御部１１の各機能部は、通信部１３を介して、他の装置と各種の情報を通信する。
【００４８】
なお、制御部１１が有する認証部１１１、ＣＦ案件管理部１１２、ＣＦ案件情報分析部１１３、出資情報取得部１１４、現況情報処理部１１５、属性情報処理部１１６、及び事業性評価部１１７と、記憶部１２が記憶するＣＦ企業ＴＢＬ１２１、金融機関ＴＢＬ１２２、ＣＦ案件ＤＢ１２３、資金需要者ＤＢ１２４、出資者ＤＢ１２５、分析結果ＤＢ１２６、及び一時保管ファイル１２７との全て又は一部を、所謂、クラウドサーバ上に配置するようにしてもよい。
【００４９】
図３は、ＣＦ企業ＴＢＬ１２１のデータ構造の一例を示している。ＣＦ企業ＴＢＬ１２１には、ＣＦ企業に関する情報を記録するため、企業ＩＤフィールド１２１１、企業名フィールド１２１２、住所フィールド１２１３、連絡先フィールド１２１４、暗証番号フィールド１２１５等が設けられている。
【００５０】
企業ＩＤフィールド１２１１には、ＣＦ企業に対して識別子として付与された企業ＩＤが記録される。企業名フィールド１２１２には、該ＣＦ企業の企業名が記録される。住所フィールド１２１３には、該ＣＦ企業の住所が記録される。連絡先フィールド１２１４には、該ＣＦ企業の連絡先（担当者、電話番号、ＦＡＸ番号、電子メールアドレス等）が記録される。暗証番号フィールド１２１５には、該ＣＦ企業にて用いられるＣＦ企業装置２０が事業性評価支援装置１０にアクセスするときの暗証番号が記録される。
【００５１】
図４は、金融機関ＴＢＬ１２２のデータ構造の一例を示している。金融機関ＴＢＬ１２２には、金融機関の支店単位の情報を記録するため、金融機関コードフィールド１２２１、支店コードフィールド１２２２、金融機関名称フィールド１２２３、支店名称フィールド１２２４、住所フィールド１２２５、連絡先フィールド１２２６、営業エリアフィールド１２２７、暗証番号フィールド１２２８等が設けられている。
【００５２】
金融機関コードフィールド１２２１には、金融機関に付与された金融機関コードが記録される。支店コードフィールド１２２２には、該金融機関の支店に付与された支店コードが記録される。金融機関名称フィールド１２２３には、該金融機関の名称が記録される。支店名称フィールド１２２４には、該支店の名称が記録される。住所フィールド１２２５には、該支店の住所が記録される。連絡先フィールド１２２６には、該支店の連絡先（担当者、電話番号、ＦＡＸ番号、電子メールアドレス等）が記録される。営業エリアフィールド１２２７には、該支店の営業エリアが記録される。暗証番号フィールド１２２８には、該支店にて用いられる金融機関装置４０が事業性評価支援装置１０にアクセスするときの暗証番号が記録される。
【００５３】
図５は、ＣＦ案件ＤＢ１２３のデータ構造の一例を示している。ＣＦ案件ＤＢ１２３には、ＣＦ案件に関する情報を記録するため、案件ＩＤフィールド１２３１、案件名称フィールド１２３２、案件概要フィールド１２３３、申込者ＩＤフィールド１２３４、申込日フィールド１２３５、募集金額フィールド１２３６、手数料率フィールド１２３７、募集開始日フィールド１２３８、募集終了日フィールド１２３９、ファンド形態フィールド１２３１０、出資金額フィールド１２３１１、出資口数フィールド１２３１２、企業ＩＤフィールド１２３１３等が設けられている。
【００５４】
案件ＩＤフィールド１２３１には、ＣＦ案件に識別子として付与された案件ＩＤが記録される。案件名称フィールド１２３２には、該ＣＦ案件の名称が記録される。案件概要フィールド１２３３には、該ＣＦ案件の概要が記録される。この概要には、出資者に対するリターン内容（商品の割引販売、配当金等）についての情報も含まれる。申込者ＩＤフィールド１２３４には、該ＣＦ案件を申し込んだ申込者（資金需要者）に付与された申込者ＩＤが記録される。申込日フィールド１２３５には、申込者が該ＣＦ案件の申し込みを行った日付が記録される。募集金額フィールド１２３６には、該ＣＦ案件の募集金額が記録される。手数料率フィールド１２３７には、該ＣＦ案件の募集金額に対するＣＦ企業の手数料率が記録される。募集開始日フィールド１２３８には、該ＣＦ案件の募集開始日が記録される。募集終了日フィールド１２３９には、該ＣＦ案件の募集終了日が記録される。ファンド形態フィールド１２３１０には、該ＣＦ案件のファンド形態（寄付型、購入型、投資型等）が記録される。出資金額フィールド１２３１１には、該ＣＦ案件に対する各出資者からの出資金の合計金額が記録される。出資口数フィールド１２３１２には、該ＣＦ案件に対する各出資者の出資者ＩＤと出資口数が記録される。ＣＦ企業ＩＤフィールド１２３１３には、該ＣＦ案件が申し込まれたＣＦ企業の企業ＩＤが記録される。
【００５５】
図６は、資金需要者ＤＢ１２４のデータ構造の一例を示している。資金需要者ＤＢ１２４には、ＣＦ案件を申し込んだ申込者（資金需要者）に関する属性情報を記録するため、申込者ＩＤフィールド１２４１、法人個人種別フィールド１２４２、申込者名フィールド１２４３、住所フィールド１２４４、連絡先フィールド１２４５、暗証番号フィールド１２４６等が設けられている。さらに、資金需要者ＤＢ１２４には、該申込者が申し込んだＣＦ案件に関する情報を記録するため、申込連番フィールド１２４７、案件ＩＤフィールド１２４８、申込日フィールド１２４９等が設けられている。なお、申込連番フィールド１２４７乃至申込日フィールド１２４９は、該申込者が申し込みを行ったＣＦ案件の数だけ設けられる。
【００５６】
申込者ＩＤフィールド１２４１には、ＣＦ案件を申し込んだ申込者に対して識別子として付与された申込者ＩＤが記録される。法人個人種別フィールド１２４２には、該申込者の種別（法人又は個人）が記録される。申込者名フィールド１２４３には、該申込者の名前が記録される。住所フィールド１２４４には、該申込者の住所が記録される。連絡先フィールド１２４５には、該申込者の連絡先（担当者（法人の場合）、電話番号、ＦＡＸ番号、電子メールアドレス等）が記録される。暗証番号フィールド１２４６には、該申込者が資金需要者装置５０を用いて事業性評価支援装置１０にアクセスするときの暗証番号が記録される。
【００５７】
申込連番フィールド１２４７には、該申込者によるＣＦ案件の申し込みに対して付与された申込連番が記録される。案件ＩＤフィールド１２４８には、該申込連番に対応するＣＦ案件の案件ＩＤが記録される。申込日フィールド１２４９には、該申込連番に対応するＣＦ案件の申込日が記録される。
【００５８】
図７は、出資者ＤＢ１２５のデータ構造の一例を示している。出資者ＤＢ１２５には、出資者の属性情報を記録するため、出資者ＩＤフィールド１２５１、出資者名フィールド１２５２、住所フィールド１２５３、連絡先フィールド１２５４、性別フィールド１２５５、年齢フィールド１２５６、暗証番号フィールド１２５７等が設けられている。さらに、出資者ＤＢ１２５には、出資者が出資を申し込んだＣＦ案件に関する情報を記録するため、案件ＩＤフィールド１２５８、申込日フィールド１２５９、決済情報フィールド１２５１０等が設けられている。なお、案件ＩＤフィールド１２５８乃至決済情報フィールド１２５１０は、該出資者が出資を申し込んだＣＦ案件の数だけ設けられる。
【００５９】
出資者ＩＤフィールド１２５１には、出資者に対して識別子として付与された出資者ＩＤが記録される。出資者名フィールド１２５２には、該出資者の名前が記録される。住所フィールド１２５３には、該出資者の住所が記録される。連絡先フィールド１２５４には、該出資者の連絡先（電話番号、ＦＡＸ番号、電子メールアドレス等）が記録される。性別フィールド１２５５には、該出資者の性別が記録される。年齢フィールド１２５６には、該出資者の年齢が記録される。暗証番号フィールド１２５７には、該出資者が出資者装置３０を用いて事業性評価支援装置１０にアクセスするときの暗証番号が記録される。
【００６０】
案件ＩＤフィールド１２５８には、該出資者が出資を申し込んだＣＦ案件の案件ＩＤが記録される。申込日フィールド１２５９には、該出資者が該ＣＦ案件に出資の申し込みを行った日付が記録される。決済情報フィールド１２５１０には、該出資者の決済情報（クレジットカード情報等）が記録される。
【００６１】
図８は、分析結果ＤＢ１２６のデータ構造の一例を示している。分析結果ＤＢ１２６には、ＣＦ案件情報分析部１１３によるＣＦ案件情報の分析結果や属性情報処理部１１６による出資者の属性情報の分析結果等を記録するため、案件ＩＤフィールド１２６１、分析日フィールド１２６２、分析項目フィールド１２６３、分析結果フィールド１２６４等が設けられている。なお、分析項目フィールド１２６３及び分析結果フィールド１２６４は、分析項目の数だけ設けられる。
【００６２】
案件ＩＤフィールド１２６１には、分析されたＣＦ案件の案件ＩＤが記録される。分析日フィールド１２６２には、分析を行った日付が記録される。分析項目フィールド１２６３には、ＣＦ案件情報や出資情報の分析項目が記録される。例えば、分析項目としては、ＣＦ案件のカテゴリ毎の件数、各ＣＦ案件の達成率、各ＣＦ案件の出資者の属性の集計結果等を挙げることができる。分析結果フィールド１２６４には、分析項目フィールド１２６３に記録された分析項目の分析結果が記録される。
【００６３】
次に、図９は、ＣＦ企業装置２０の構成例を示している。ＣＦ企業装置２０は、制御部２１、記憶部２２、及び通信部２３を有する。
【００６４】
制御部２１は、ＣＦ企業装置２０による各処理と機能を総合的に制御する。制御部２１は、ＣＦ案件受付審査部２１１、出資受付部２１２、事業資金管理部２１３、ＣＦ案件情報提供部２１４、及び出資情報提供部２１５を有する。
【００６５】
ＣＦ案件受付審査部２１１は、資金需要者から申し込まれたＣＦ案件の受付、審査を行い、対応するＣＦ案件情報（事業計画情報と資金需要者情報）を記憶部２２のＣＦ案件ＤＢ２２１に登録する。
【００６６】
出資受付部２１２は、ＣＦ案件に対する出資者からの出資の申し込みを受け付けて、該出資者の属性情報や出資金額等を記憶部２２の出資者ＤＢ２２３に登録する。
【００６７】
事業資金管理部２１３は、成立したＣＦ案件に対する出資者からの出資金と、資金需要者に対する資金の貸付と返済を管理する。
【００６８】
ＣＦ案件情報提供部２１４（本発明の提供部に相当する）は、事業性評価支援装置１０に対してＣＦ案件情報を提供する。出資情報提供部２１５（本発明の通知部に相当する）は、事業性評価支援装置１０からの要求に応じ、ＣＦ案件に関する出資情報（現況情報と出資者の属性情報）を提供する。
【００６９】
記憶部２２は、ＣＦ案件ＤＢ２２１、資金需要者ＤＢ２２２、出資者ＤＢ２２３、及び終了案件ＤＢ２２４を記憶する。
【００７０】
ＣＦ案件ＤＢ２２１には、資金需要者から申し込まれたＣＦ案件に関する情報が記録される。なお、ＣＦ案件ＤＢ２２１のデータ構造は、事業性評価支援装置１０におけるＣＦ案件ＤＢ１２３のデータ構造（図５）と同様なのでその説明は省略する。
【００７１】
資金需要者ＤＢ２２２には、資金需要者に関する情報が記録される。なお、資金需要者ＤＢ２２２のデータ構造は、事業性評価支援装置１０における資金需要者ＤＢ１２４のデータ構造（図６）と同様なのでその説明は省略する。
【００７２】
出資者ＤＢ２２３には、出資者に関する情報が記録される。なお、出資者ＤＢ２２３のデータ構造は、事業性評価支援装置１０における出資者ＤＢ１２５のデータ構造（図７）と同様なのでその説明は省略する。
【００７３】
終了案件ＤＢ２２４には、出資者の募集期間が終了しているＣＦ案件に関する情報が記録される。終了案件ＤＢ２２４のデータ構造については後述する。
【００７４】
通信部２３は、インターネット１を介して事業性評価支援装置１０、出資者装置３０、金融機関装置４０、資金需要者装置５０等と通信を行う。制御部２１の各機能部は、通信部２３を介して、他の装置と各種の情報を通信する。
【００７５】
なお、制御部２１が有するＣＦ案件受付審査部２１１、出資受付部２１２、事業資金管理部２１３、ＣＦ案件情報提供部２１４、及び出資情報提供部２１５と、記憶部２２が記憶するＣＦ案件ＤＢ２２１、資金需要者ＤＢ２２２、出資者ＤＢ２２３、及び終了案件ＤＢ２２４との全て又は一部を、所謂、クラウドサーバ上に配置するようにしてもよい。
【００７６】
図１０は、終了案件ＤＢ２２４のデータ構造の一例を示している。終了案件ＤＢ２２４には、出資者の募集期間が終了しているＣＦ案件に関する情報を記録するため、案件ＩＤフィールド２２４１、成否フラグフィールド２２４２、事業資金払込日フィールド２２４３、提携フラグフィールド２２４４、提携金融機関フィールド２２４５、提携金額フィールド２２４６、申込者ＩＤフィールド２２４７、リターンフラグフィールド２２４８、リターン実行日フィールド２２４９、達成率フィールド２２４１０等が設けられている。
【００７７】
案件ＩＤフィールド２２４１には、出資者の募集期間が終了しているＣＦ案件に対して付与された案件ＩＤが記録される。成否フラグフィールド２２４２には、該ＣＦ案件が成立したか否かを表すフラグが記録される。事業資金払込日フィールド２２４３には、該ＣＦ案件が成立したＣＦ案件である場合、出資される事業資金の払込日が記録される。提携フラグフィールド２２４４には、該ＣＦ案件に対して金融機関が提携して融資するか否かを表すフラグが記録される。提携金融機関フィールド２２４５には、該ＣＦ案件に対して提携して融資を行う金融機関の金融機関コードが記録される。提携金額フィールド２２４６には、提携した金融機関による融資金額が記録される。申込者ＩＤフィールド２２４７には、該ＣＦ案件の申込者を表す申込者ＩＤが記録される。リターンフラグフィールド２２４８には、該ＣＦ案件の出資者に対するリターン（商品の発送、配当金の振込み等）が実行済みであるか否かを表すフラグが記録される。リターン実行日フィールド２２４９には、リターンの実行日又は実行予定日が記録される。達成率フィールド２２４１０には、該ＣＦ案件が不成立であった場合の達成率（募集金額に対する出資金額の割合）が記録される。
【００７８】
次に、図１１は、金融機関装置４０の構成例を示している。金融機関装置４０は、制御部４１、記憶部４２、通信部４３、表示部４４、及び入力部４５を有する。
【００７９】
制御部４１は、金融機関装置４０による各処理と機能を総合的に制御する。制御部４１は、審査部４１１、及び事業性評価情報取得部４１２を有する。
【００８０】
審査部４１１は、資金需要者に対する融資の可否を審査する。事業性評価情報取得部４１２（本発明の要求部に相当する）は、事業性評価支援装置１０から供給される事業性評価情報を取得して記憶部４２の事業性評価情報ＤＢ４２２に登録する。
【００８１】
記憶部４２は、ＣＦ案件ＤＢ４２１、及び事業性評価情報ＤＢ４２２を記憶する。
【００８２】
ＣＦ案件ＤＢ４２１には、金融機関装置４０を用いて閲覧されたＣＦ案件に関する情報が記録される。なお、ＣＦ案件ＤＢ４２１のデータ構造は、事業性評価支援装置１０におけるＣＦ案件ＤＢ１２３のデータ構造（図５）と同様なのでその説明は省略する。
【００８３】
事業性評価情報ＤＢ４２２には、事業性評価支援装置１０から供給される事業性評価情報が記録される。事業性評価情報ＤＢ４２２のデータ構造については後述する。
【００８４】
通信部４３は、インターネット１を介して事業性評価支援装置１０、ＣＦ企業装置２０等と通信を行う。制御部４１の各機能部は、通信部４３を介して、他の装置と各種の情報を通信する。
【００８５】
表示部４４は、事業性評価情報等の画面を表示する。表示部４４は、例えば、液晶ディスプレイ等から成る。
【００８６】
入力部４５は、ユーザの操作を受け付ける。入力部４５は、例えば、キーボード、マウス等から成る。
【００８７】
なお、制御部４１が有する審査部４１１及び事業性評価情報取得部４１２と、記憶部４２が記憶するＣＦ案件ＤＢ４２１及び事業性評価情報ＤＢ４２２との全て又は一部を、所謂、クラウドサーバ上に配置するようにしてもよい。
【００８８】
図１２は、事業性評価情報ＤＢ４２２のデータ構造の一例を示している。事業性評価情報ＤＢ４２２には、案件ＩＤフィールド４２２１、情報取得日フィールド４２２２、募集金額フィールド４２２３、現在金額フィールド４２２４、出資口数フィールド４２２５、達成率フィールド４２２６、評価ランクフィールド４２２７、将来性予想フィールド４２２８等が設けられている。
【００８９】
案件ＩＤフィールド４２２１には、該事業性評価情報に対応するＣＦ案件の案件ＩＤが記録される。情報取得日フィールド４２２２には、該事業性評価情報を事業性評価支援装置１０から取得した日付が記録される。募集金額フィールド４２２３には、該ＣＦ案件の募集金額が記録される。現在金額フィールド４２２４には、情報取得日現在の出資金額が記録される。出資口数フィールド４２２５には、情報取得日現在の出資口数が記録される。達成率フィールド４２２６には、情報取得日現在の達成率（募集金額に対する出資金額の割合）が記録される。評価ランクフィールド４２２７には、評価ランクが記録される。将来性予想フィールド４２２８には、将来性予想が記録される。
【００９０】
＜事業性評価支援システムによる処理の流れ＞
次に、事業性評価支援システムによる処理の流れを説明する。図１３は、事業性評価支援システムによる処理の一例を説明するシーケンス図である。
【００９１】
はじめに、資金需要者が新規事業等の資金調達を目的として、資金需要者装置５０を用いてＣＦ企業装置２０に接続し、ＣＦの申し込みを行う（ステップＳ１）。この際、資金需要者装置５０は、事業計画情報及び資金需要者情報を含むＣＦ案件情報をＣＦ企業装置２０に送信する。
【００９２】
ＣＦ企業装置２０では、案件受付審査部２１１が、該ＣＦ案件情報を受け付けて該資金需要者が申込資格等に適合しているか否かの審査を行う。そして、該資金需要者が申込資格等に適合している場合、ＣＦ企業装置２０のＣＦ案件情報提供部２１４が、ＣＦ案件情報を事業性評価支援装置１０に提供する。事業性評価支援装置１０では、ＣＦ案件管理部１１２が該ＣＦ案件情報を受け付けてＣＦ案件ＤＢ１２３に登録する（ステップＳ２）。また、ＣＦ案件情報分析部１１３が、ＣＦ案件ＤＢ１２３に登録されたＣＦ案件情報の分析を開始する。なお、ステップＳ２処理の詳細については、図１４を参照して後述する。
【００９３】
ＣＦ案件情報をＣＦ案件ＤＢ１２３に登録したことにより、この後、事業性評価支援装置１０は、出資者装置３０や金融機関装置４０に対してＣＦ案件の公開が可能となる。
【００９４】
次に、出資者がＣＦ案件を閲覧する目的で、出資者装置３０を用いて事業性評価支援装置１０にアクセスすると、事業性評価支援装置１０は、認証部１１１による出資者の認証処理を経た後、出資者装置３０に対して、ＣＦ案件ＤＢ１２３に登録されているＣＦ案件を公開する。これにより、出資者装置３０は、ＣＦ案件を閲覧することができる（ステップＳ３）。なお、認証部１１１による出資者の認証処理を含む出資者登録処理については、図１５を参照して後述する。
【００９５】
次に、事業性評価支援装置１０によって公開されたＣＦ案件を閲覧した出資者が、事業性や将来性があり、リターンが期待できると判断したＣＦ案件を見つけた場合、出資者装置３０を用いてＣＦ企業装置２０に接続し、ＣＦ案件に対する出資申し込みを行う（ステップＳ４）。
【００９６】
この出資申し込みは、ＣＦ企業装置２０の出資受付部２１２が受け付ける。そして、出資受付部２１２は、ＣＦ案件ＤＢ２２１における、該出資申し込みに対応するＣＦ案件の現在金額フィールド及び出資口数フィールドの記録を更新する。さらに、出資受付部２１２は、出資申し込みを行った出資者の属性情報を出資者ＤＢ２２３に登録する。
【００９７】
次に、事業性評価支援装置１０の出資情報取得部１１４は、ＣＦ案件ＤＢ１２３に登録されているＣＦ案件に関する出資情報を、ＣＦ企業装置２０から周期的に取得する（ステップＳ５）。なお、ステップＳ５における出資情報を取得する処理については、図１６を参照して後述する。
【００９８】
出資情報を取得した事業性評価支援装置１０では、現況情報処理部１１５が、出資情報に含まれる現況情報に基づき、ＣＦ案件ＤＢ１２３の該ＣＦ案件に関する現在の出資金額と出資口数を更新するとともに、現況情報を分析して分析結果を分析結果ＤＢ１２６に登録する。また、属性情報処理部１１６が、出資情報に含まれる出資者の属性情報を、出資者ＤＢ１２５に登録するとともに、出資者の属性情報を分析して分析結果を分析結果ＤＢ１２６に登録する（ステップＳ６）。
【００９９】
この後、金融機関が、融資の対象とするＣＦ案件や出資需要者の掘起しを行なう目的で、金融機関装置４０を用いて事業性評価支援装置１０にアクセスし、事業性評価支援装置１０に登録されているＣＦ案件の一覧を閲覧する。そして、金融機関が、閲覧したＣＦ案件の一覧の中から１つのＣＦ案件を選択すると、事業性評価支援装置１０の事業性評価部１１７が、該ＣＦ案件の事業性評価情報を生成して、該ＣＦ案件情報とともに金融機関装置４０に供給する。金融機関装置４０では、事業性評価情報取得部４１２が、ＣＦ案件情報と該事業性評価情報とを取得し、表示部４４の画面に表示させる（ステップＳ７）。
【０１００】
金融機関装置４０では、審査部４１１が、事業性評価支援装置１０からの事業性評価情報に基づいて、該ＣＦ案件や該出資需要者に対する融資審査を実施する（ステップＳ８）。以上で、事業性評価支援システムによる処理の流れの概要説明を終了する。
【０１０１】
＜ＣＦ案件登録処理の詳細＞
次に、図１４は、上述したステップＳ２におけるＣＦ案件登録処理の一例を詳述するフローチャートである。
【０１０２】
該ＣＦ案件登録処理は、ＣＦ企業装置２０がＣＦ案件情報を提供するため、事業性評価支援装置１０にアクセスしたときに実行される。
【０１０３】
はじめに、事業性評価支援装置１０の認証部１１１は、アクセスしてきたＣＦ企業装置２０をＣＦ企業テーブル１２１に照会して認証処理を行う（ステップＳ１１）。具体的には、例えば、該ＣＦ企業装置２０から通知される企業ＩＤ、暗証番号等がＣＦ企業テーブル１２１に登録済みであるか否かに基づき、認証の可否を判断する。
【０１０４】
ここで認証不可能と判断した場合（ステップＳ１１でＮＧ）、認証部１１１は、該ＣＦ企業装置２０に対して認証不可能である旨を通知して（ステップＳ１２）、該ＣＦ案件登録処理を終了する。なお、ＣＦ案件登録処理を終了した後、該ＣＦ企業に対して登録を促す処理（後述する出資者登録処理と同様の処理）を実行するようにしてもよい。
【０１０５】
反対に、認証可能と判断した場合（ステップＳ１１でＯＫ）、認証部１１１は、該ＣＦ企業装置２０に対して認証可能である旨を通知し、該通知に応じてＣＦ企業装置２０が提供してくるＣＦ案件情報を、ＣＦ案件管理部１１２が受け付ける（ステップＳ１３）。
【０１０６】
次に、ＣＦ案件管理部１１２は、受け付けたＣＦ案件情報のＣＦ案件に対して案件ＩＤを付与し、ＣＦ案件情報に含まれる事業計画情報の各項目の情報をＣＦ案件ＤＢ１２３に登録する（ステップＳ１４）。次に、ＣＦ案件管理部１１２は、受け付けたＣＦ案件情報に含まれる資金需要者情報の中の各項目の情報を資金需要者ＤＢ１２４に登録する（ステップＳ１５）。以上で、該ＣＦ案件登録処理は終了され、この後に、ＣＦ案件情報分析部１１３により、ＣＦ案件ＤＢ１２３に登録されたＣＦ案件情報の分析が行われる（図１３のステップＳ６）。
【０１０７】
＜出資者登録処理の詳細＞
次に、図１５は、ステップＳ３における出資者登録処理の一例を詳述するフローチャートである。
【０１０８】
該出資者登録処理は、出資者装置３０がＣＦ案件の閲覧を目的として、事業性評価支援装置１０にアクセスしてきたときに実行される。
【０１０９】
はじめに、事業性評価支援装置１０の認証部１１１は、アクセスしてきた出資者装置３０を出資者ＤＢ１２５に照会して認証処理を行う（ステップＳ２１）。具体的には、例えば、該出資者装置３０から通知された出資者ＩＤ、暗証番号等が出資者ＤＢ１２５に登録されているものと一致するか否かに基づき、認証の可否を判断する。
【０１１０】
ここで、認証可能と判断した場合（ステップＳ２１でＯＫ）、認証部１１１は、該出資者装置３０に対して認証可能である旨を通知して、出資者登録処理を終了する。この後、事業性評価支援装置１０のＣＦ案件管理部１１２は、認証可能と判断された出資者装置３０に対して、ＣＦ案件ＤＢ１２３に登録されているＣＦ案件の一覧を供給することになる。
【０１１１】
反対に、認証不可能と判断した場合（ステップＳ２１でＮＧ）、認証部１１１は、該出資者装置３０に対して認証不可能である旨を通知する（ステップＳ２２）。次に、認証部１１１は、該出資者装置３０のユーザ（出資者）が出資者ＤＢ１２５に対して登録済みであるか否かを判定する。
【０１１２】
具体的には、例えば、ステップＳ２１において、該出資者装置３０から通知された出資者ＩＤは出資者ＤＢ１２５に存在するものの、通知された暗証番号が一致しなかったために認証不可能と判断された場合、認証部１１１は、該出資者は出資者ＤＢ１２５に対して登録済みであると判断して（ステップＳ２３でＹＥＳ）、処理をステップＳ２１に戻し、それ以降を繰り返す。
【０１１３】
また、例えば、ステップＳ２１において、該出資者装置３０から通知された出資者ＩＤが出資者ＤＢ１２５に存在していないために認証不可能と判断された場合、認証部１１１は、該出資者が出資者ＤＢ１２５に対して未登録であると判断して（ステップＳ２３でＮＯ）、処理をステップＳ２４に進める。
【０１１４】
次に、認証部１１１は、該出資者装置３０に対して出資者登録を促して該出資者が出資者登録を行うか否かを判断する（ステップＳ２４）。該促しに応じ、該出資者装置３０から出資者登録を行う旨が返信された場合（ステップＳ２４でＹＥＳ）、認証部１１１は、該出資者装置３０に対して出資者の属性情報を入力させて、該出資者の属性情報を取得する（ステップＳ２５）。
【０１１５】
次に、認証部１１１は、該出資者に出資者ＩＤを付与し、取得した属性情報と対応付けて出資者ＤＢ１２５に記録することにより、該出資者の出資者登録を終了する（ステップＳ２６）。この後、事業性評価支援装置１０のＣＦ案件管理部１１２は、出資者登録を行った出資者装置３０に対して、ＣＦ案件ＤＢ１２３に登録されているＣＦ案件の一覧を供給することになる。
【０１１６】
ステップＳ２４にて、該出資者装置３０に対する出資者登録の促しに応じ、該出資者装置３０から出資者登録を行わない旨が返信された場合（ステップＳ２４でＮＯ）、認証部１１１は、該出資者登録処理を終了する。
【０１１７】
なお、上述した出資者登録処理のように、アクセスしてきた装置（のユーザ）が未登録であるために認証不可能と判断した場合に登録を促す処理は、出資者装置３０以外のＣＦ装置２０、金融機関装置４０、資金需要者装置５０が事業性評価支援装置１０にアクセスしてきたときにも実行される。
【０１１８】
＜出資者情報取得処理の詳細＞
次に、図１６は、上述したステップＳ５及びＳ６の処理（以下、出資情報取得処理と称する）の一例を詳述するフローチャートである。
【０１１９】
該出資情報取得処理は、ＣＦ案件ＤＢ１２３に登録されている全てのＣＦ案件を順次処理対象として周期的に実行される。また、該出資情報取得処理は、ＣＦ案件ＤＢ１２３に登録されているＣＦ案件に対して金融機関装置４０から照会があった場合（具体的には、ＣＦ案件の一覧から１つのＣＦ案件が選択された場合）にも、該ＣＦ案件を処理対象として実行される。
【０１２０】
はじめに、事業性評価支援装置１０の出資情報取得部１１４は、ＣＦ企業装置２０に対し、該ＣＦ案件の出資情報を要求する（ステップＳ３１）。
【０１２１】
該要求に応じ、ＣＦ企業装置２０の出資情報提供部２１５は、ＣＦ案件ＤＢ２２１から該ＣＦ案件に対する現状の出資金額と出資口数等を読み出して現況情報を生成し、また、出資者ＤＢ２２３から、該ＣＦ案件の出資者の属性情報を読み出し、現況情報と出資者の属性情報を含む出資情報を返信する。事業性評価支援装置１０の出資情報取得部１１４は、ＣＦ企業装置２０から返信された出資情報を取得し、出資情報に含まれる現況情報を現況情報処理部１１５に供給し、出資者の属性情報を属性情報処理部１１６に供給する（ステップＳ３２）。
【０１２２】
次に、現況情報処理部１１５は、供給された現況情報に基づき、ＣＦ案件ＤＢ１２３の該ＣＦ案件に関する現在の出資金額と出資口数を登録とともに、現況情報を分析して分析結果を分析結果ＤＢ１２６に登録する（ステップＳ３３）。一方、属性情報処理部１１６は、供給された出資者の属性情報を、出資者ＤＢ１２５に登録するとともに、出資者の属性情報を分析して分析結果を分析結果ＤＢ１２６に登録する（ステップＳ３４）。以上で、出資情報取得処理は終了される。
【０１２３】
＜事業性評価情報提示処理の詳細＞
次に、図１７は、上述したステップＳ７における事業性評価情報提示処理の一例を詳述するフローチャートである。
【０１２４】
該事業性評価情報提示処理は、事業性評価支援装置１０に対して金融機関装置４０がアクセスしてきたときに実行される。
【０１２５】
はじめに、事業性評価支援装置１０の認証部１１１は、該金融機関装置４０を金融機関ＴＢＬ１２２に照会して認証処理を行う（ステップＳ５１）。ここで認証不可能（ＮＧ）と判断した場合、認証部１１１は、該金融機関装置４０に対して認証不可能である旨を通知して（ステップＳ５２）、該事業性評価情報提示処理を終了する。なお、該事業性評価情報提示処理ＣＦ案件登録処理を終了した後、該金融機関装置４０に対して登録を促す処理（上述した出資者登録処理と同様の処理）を実行するようにしてもよい。
【０１２６】
反対に、認証可能と判断した場合（ステップＳ５１でＯＫ）、認証部１１１は、該金融機関装置４０と、ＣＦ案件管理部１１２に対して認証可能である旨を通知する。
【０１２７】
次に、ＣＦ案件管理部１１２は、金融機関装置４０に対して、ＣＦ案件ＤＢ１２３に登録されているＣＦ案件の一覧を供給する（ステップＳ５３）。この一覧には、ＣＦ案件ＤＢ１２３に登録されている全てのＣＦ案件を含めてもよい。あるいは、後述する一覧要求画面９０（図２１）を表示して検索条件を選択させた後、ＣＦ案件ＤＢ１２３に登録されているＣＦ案件を検索条件で絞り込んだ結果の一覧を供給するようにしてもよい。
【０１２８】
図１８は、金融機関装置４０の表示部４４に表示されるＣＦ案件一覧画面６０の表示例を示している。
【０１２９】
該ＣＦ案件一覧画面６０には、事業性評価支援装置１０のＣＦ案件ＤＢ１２３に登録されているＣＦ案件に関する各種項目（同図の場合、案件ＩＤ、案件名称、主催者名（資金需要者名）名、主催者エリア（資金需要者住所）、募集期間、募集金額、案件概要）がスクロール可能に表示される。
【０１３０】
なお、ＣＦ案件一覧画面６０に表示する項目数を減らす（例えば、案件名称と案件概要だけを表示する）ようにして、画面上により多くのＣＦ案件の情報を同時に表示できるようにしてもよい。
【０１３１】
図１７に戻る。次に、ＣＦ案件管理部１１２は、金融機関装置４０において表示されているＣＦ案件一覧画面６０上で１つのＣＦ案件が選択されるまで待機する（ステップＳ５４でＮＯ）。その後、１つのＣＦ案件が選択された場合（ステップＳ５４でＹＥＳ）、ＣＦ案件管理部１１２は、処理をステップＳ５５に進める。
【０１３２】
次に、ＣＦ案件管理部１１２は、事業性評価部１１７に対して、金融機関装置４０で選択されたＣＦ案件の事業性評価情報の生成を依頼する。この依頼に応じ、事業性評価部１１７は、該ＣＦ案件の事業性評価情報を生成し、ＣＦ案件情報とともに金融機関装置４０に供給する（ステップＳ５５）。金融機関装置４０では、事業性評価情報取得部４１２が、ＣＦ案件情報と該事業性評価情報とを取得し、表示部４４に事業性評価情報閲覧画面７０（図１９）を表示させる。以上で、事業性評価情報提示処理は終了される。
【０１３３】
＜事業性評価情報閲覧画面の表示例＞
次に、図１９は、金融機関装置４０の表示部４４に表示される事業性評価情報閲覧画面７０の表示例を示している。
【０１３４】
事業性評価情報閲覧画面７０には、該ＣＦ案件の案件ＩＤが表示される表示案件ＩＤ表示欄７００、事業計画情報表示欄７０１、案件評価情報表示欄７１７、前案件ボタン７３２、事業評価情報参照ボタン７３３、次案件ボタン７３４、及び閉じるボタン７３５が設けられている。
【０１３５】
事業計画情報表示欄７０１の上辺には、主催者エリア（資金需要者住所）と募集期間が表示される。
【０１３６】
該主催者エリアは、事業性評価部１１７がＣＦ案件ＤＢ１２３の申込者ＩＤフィールド１２３４から申込者ＩＤを読み出し、資金需要者ＤＢ１２４の該申込者ＩＤに対応する記録の住所フィールド１２４４から読み出した住所に基づいて特定したものである。該募集期間は、事業性評価部１１７がＣＦ案件ＤＢ１２３の募集開始日フィールド１２３８と募集終了日フィールド１２３９から読み出した日付に基づいて特定したものである。
【０１３７】
また、事業計画情報表示欄７０１の上辺にはＵＲＬボタン７０２が設けられている。ＵＲＬボタン７０２は、該ＣＦ案件が申し込まれたＣＦ企業によって公開された該ＣＦ案件に対する出資者を募るためのＷｅｂサイトにリンクされており、ＵＲＬボタン７０２が押下された場合、該Ｗｅｂサイトがポップアップ表示される。
【０１３８】
また、事業計画情報表示欄７０１には、案件名称表示欄７０３、案件主催者表示欄７０４、参照ボタン７０５、募集金額表示欄７０６、出資現在金額表示欄７０７、及び出資者数表示欄７０８が設けられている。
【０１３９】
案件名称表示欄７０３には、該ＣＦ案件の名称が表示される。該ＣＦ案件の名称は、事業性評価部１１７がＣＦ案件ＤＢ１２３の案件名称フィールド１２３２から読み出したものである。案件主催者表示欄７０４には、該ＣＦ案件の主催者名（資金需要者名）が表示される。該主催者名は、事業性評価部１１７がＣＦ案件ＤＢ１２３の申込者ＩＤフィールド１２３４から申込者ＩＤを読み出し、資金需要者ＤＢ１２４の該申込者ＩＤに対応する記録の申込者名フィールド１２４３から読み出したものである。
【０１４０】
参照ボタン７０５は、該ＣＦ案件の主催者の詳細情報にリンクされており、参照ボタン７０５が押下された場合、該主催者の詳細情報がポップアップ表示される。
【０１４１】
募集金額表示欄７０６には、該ＣＦ案件の募集金額が表示される。該募集金額は、事業性評価部１１７がＣＦ案件ＤＢ１２３の募集金額フィールド１２３６から読み出したものである。出資現在金額表示欄７０７には、該ＣＦ案件に対する現在の各出資者からの出資金額の合計が表示される。該出資金額は、事業性評価部１１７がＣＦ案件ＤＢ１２３の出資金額フィールド１２３１１から読み出したものである。出資者数表示欄７０８には、該ＣＦ案件に対する現在の出資者数が表示される。該出資者数は、事業性評価部１１７がＣＦ案件ＤＢ１２３の出資口数フィールド１２３１２から読み出した情報に基づくものである。
【０１４２】
さらに、事業計画情報表示欄７０１には、ＣＦ企業名表示欄７０９、参照ボタン７１０、ファンド形態表示欄７１１、リターン内容表示欄７１２、参照ボタン７１３、達成率表示欄７１４、残り日数表示欄７１５、及び案件概要表示欄７１６が設けられている。
【０１４３】
ＣＦ企業名表示欄７０９には、該ＣＦ案件が申し込まれたＣＦ企業名が表示される。該ＣＦ企業名は、事業性評価部１１７がＣＦ案件ＤＢ１２３のＣＦ企業ＩＤフィールド１２３１３からＣＦ企業の企業ＩＤを読み出し、ＣＦ企業ＴＢＬ１２１の該企業ＩＤに対応する記録の企業名フィールド１２１２から読み出したものである。参照ボタン７１０は、該ＣＦ案件が申し込まれたＣＦ企業の詳細情報にリンクされており、参照ボタン７１０が押下された場合、該ＣＦ企業の詳細情報がポップアップ表示される。
【０１４４】
ファンド形態表示欄７１１には、該ＣＦ案件のファンド形態が表示される。該ファンド形態は、事業性評価部１１７がＣＦ案件ＤＢ１２３のファンド形態フィールド１２３１０から読み出したものである。リターン内容表示欄７１２には、該ＣＦ案件の出資者に対するリターン内容が表示される。該リターン内容は、事業性評価部１１７がＣＦ案件ＤＢ１２３の案件概要フィールド１２３３から読み出したものである。
【０１４５】
参照ボタン７１３は、リターン内容に関する詳細情報にリンクされており、参照ボタン７１３が押下された場合、該詳細情報がポップアップ表示される。達成率表示欄７１４には、該ＣＦ案件の現在の達成率（募集金額に対する現在金額の割合）が表示される。該達成率は、分析結果案件ＤＢ１２６に記録されている現況情報処理部１１５による現況情報の分析結果（募集金額に対する現在金額の割合計算）を、事業性評価部１１７が読み出したものである。
【０１４６】
残り日数表示欄７１５には、該ＣＦ案件の募集期間の残り日数が表示される。該残り日数は、事業性評価部１１７がＣＦ案件ＤＢ１２３の募集終了日フィールド１２３９から読み出した日付に基づいて特定したものである。案件概要表示欄７１６には、該ＣＦ案件の概要が表示される。該ＣＦ案件の概要は、事業性評価部１１７がＣＦ案件ＤＢ１２３の案件概要１２３３から読み出したものである。
【０１４７】
案件評価情報表示欄７１７には、評価ランク表示欄７１８、将来性予想表示欄７１９、同一カテゴリ件数表示欄７２０、参照ボタン７２１、主催者過去案件数表示欄７２２、及び参照ボタン７２３が設けられている。
【０１４８】
評価ランク表示欄７１８には、該ＣＦ案件の評価ランクが、複数段階評価（同図の場合、Ｄ，Ｃ，Ｂ，Ａ，Ｓの５段階評価）で表示される。将来性予想表示欄７１９には、該ＣＦ案件の将来性が、複数段階評価（同図の場合、Ｄ，Ｃ，Ｂ，Ａ，Ｓの５段階評価）で表示される。該評価ランク及び該将来性は、事業性評価部１１７がＣＦ案件情報と出資情報の分析結果を用い、所定のアルゴリズムに従って特定したものである。
【０１４９】
同一カテゴリ件数表示欄７２０には、事業性評価支援装置１０のＣＦ案件ＤＢ１２３に登録されているＣＦ案件であって、該ＣＦ案件と同一カテゴリに分類される他のＣＦ案件の数が表示される。該同一カテゴリ数は、分析結果案件ＤＢ１２６に記録されているＣＦ案件情報分析部１１３によるＣＦ案件の分析（各ＣＦ案件のカテゴリを特定して集計した結果）を、事業性評価部１１７が読み出したものである。
【０１５０】
参照ボタン７２１は、該ＣＦ案件と同一カテゴリに分類される他のＣＦ案件の一覧にリンクされており、参照ボタン７２１が押下された場合、該一覧がポップアップ表示される。
【０１５１】
主催者過去案件数表示欄７２２には、該ＣＦ案件の主催者（資金需要者）が過去に申し込んだＣＦ案件の件数が表示される。該件数は、事業性評価部１１７がＣＦ案件ＤＢ１２３の申込者ＩＤフィールド１２３４から申込者ＩＤを読み出し、資金需要者ＤＢ１２４の該申込者ＩＤに対応する記録の案件ＩＤフィールド１２４８の数から特定したものである。
【０１５２】
参照ボタン７２３は、該ＣＦ案件の主催者が過去に申し込んだＣＦ案件の一覧にリンクされており、参照ボタン７２３が押下された場合、該一覧がポップアップ表示される。該一覧は、ＣＦ案件管理部１１２がＣＦ案件ＤＢ１２３の申込者ＩＤフィールド１２３４から申込者ＩＤを読み出し、資金需要者ＤＢ１２４の該申込者ＩＤに対応する記録の案件ＩＤフィールド１２４８に記録されている案件ＩＤに基づいて作成したものである。
【０１５３】
さらに、案件評価情報表示欄７１７には、男女構成表示欄７２４、年代構成表示欄７２５、参照ボタン７２６、居住地表示欄７２７、参照ボタン７２８、出資回数表示欄７２９、参照ボタン７３０、及び詳細ボタン７３１が設けられている。
【０１５４】
男女構成表示欄７２４には、該ＣＦ案件の出資者の男女構成の割合を表すグラフが表示される。年代構成表示欄７２５には、該ＣＦ案件の出資者の年代構成の割合を表すグラフが表示される。該男女構成の割合、及び年代構成の割合は、分析結果案件ＤＢ１２６に記録されている属性情報処理部１１６による出資者の属性情報分析結果を、事業性評価部１１７が読み出したものである。
【０１５５】
参照ボタン７２６は、該ＣＦ案件の出資者の年齢に関する詳細情報にリンクされており、参照ボタン７２６が押下された場合、該詳細情報がポップアップ表示される。
【０１５６】
居住地表示欄７２７には、該ＣＦ案件の出資者が多い居住地（同図の場合、県単位の住所）のトップ５の割合を表すグラフが表示される。該居住地の割合は、分析結果案件ＤＢ１２６に記録されている属性情報処理部１１６による出資者の属性情報分析結果を、事業性評価部１１７が読み出したものである。
【０１５７】
参照ボタン７２８は、該ＣＦ案件の出資者が多い居住地に関する詳細情報にリンクされており、参照ボタン７２８が押下された場合、該詳細情報がポップアップ表示される。
【０１５８】
出資回数表示欄７２９には、該ＣＦ案件の出資者によるＣＦ案件への出資回数の割合を表すグラフが表示される。該出資回数の割合は、分析結果案件ＤＢ１２６に記録されている属性情報処理部１１６による出資者の属性情報分析結果を、事業性評価部１１７が読み出したものである。
【０１５９】
参照ボタン７３０は、該ＣＦ案件の出資者によるＣＦ案件への出資回数に関する詳細情報にリンクされており、参照ボタン７３０が押下された場合、該詳細情報がポップアップ表示される。
【０１６０】
前案件ボタン７３２は、上述したステップＳ５３の処理で金融機関装置４０の表示部４４に表示されたＣＦ案件一覧画面６０における該ＣＦ案件に連なる１つ前のＣＦ案件に対応する事業性評価情報閲覧画面にリンクされている。前案件ボタン７３２が押下された場合、表示部４４の表示が、該１つ前のＣＦ案件に対応する事業性評価情報閲覧画面に変更される。
【０１６１】
事業評価情報参照ボタン７３３は、事業性評価情報参照画面８０（図２０）にリンクされており、事業評価情報参照ボタン７３３が押下された場合、事業性評価情報参照画面８０がポップアップ表示される。
【０１６２】
次案件ボタン７３４は、上述したステップＳ５３の処理で金融機関装置４０の表示部４４に表示されたＣＦ案件一覧画面６０における該ＣＦ案件に連なる１つ後のＣＦ案件に対応する事業性評価情報閲覧画面にリンクされている。次案件ボタン７３４が押下された場合、表示部４４の表示が、該１つ後のＣＦ案件に対応する事業性評価情報閲覧画面に変更される。
【０１６３】
閉じるボタン７３５が押下された場合、表示中の事業性評価情報閲覧画面７０が閉じられ（消去され）、表示部４４にはＣＦ案件一覧画面６０が表示される。
【０１６４】
次に、図２０は、事業性評価情報参照画面８０の表示例を示している。
【０１６５】
事業性評価情報参照画面８０には、ラジオボタン８０１及び８０２、送信ボタン８０３、及び閉じるボタン８０４が設けられている。
【０１６６】
ラジオボタン８０１及び８０２は、どちらか一方を選択可能とされており、ラジオボタン８０１は「現在のＣＦ案件の詳細な事業性評価情報を要求」に、ラジオボタン８０２は「条件を入力して一覧から要求」に対応付けられている。
【０１６７】
ラジオボタン８０１及び８０２のうち、ラジオボタン８０１が選択されて送信ボタン８０３が押下された場合、該ＣＦ案件について、事業性評価情報閲覧画面７０の案件評価情報表示欄７１７に表示されていた評価ランクや将来性予想に比較してより詳細な事業性評価情報（例えば、該ＣＦ案件と類似する他のＣＦ案件との比較結果）が表示される。
【０１６８】
ラジオボタン８０１及び８０２のうち、ラジオボタン８０２が選択されて送信ボタン８０３が押下された場合、ＣＦ案件の検索条件を入力するための一覧要求画面９０（図２１）が表示される。
【０１６９】
閉じるボタン８０４が押下された場合、表示中の事業性評価情報参照画面８０が閉じられ（消去され）、表示部４４には、事業性評価情報閲覧画面７０が表示される。
【０１７０】
次に、図２１は、ＣＦ案件の検索条件を入力するための一覧要求画面９０の表示例を示している。
【０１７１】
一覧要求画面９０には、ラジオボタン９０１〜９０６、クリアボタン９０７、一覧作成ボタン９０８、及び閉じるボタン９０９が設けられている。
【０１７２】
ラジオボタン９０１は、ＣＦ案件の検索条件として成立状況を選択するためのものであり、同図の例では、成立案件のみ、不成立案件のみ、又は、両方を含む、のうちのいずれかを選択できる。なお、ＣＦ案件ＤＢ１２３に記録されているＣＦ案件のうち、成立案件を抽出するには、募集金額フィールド１２３６に記録されている金額に対する、出資金額フィールドに記録されている金額の割合（達成率）が１００％以上であるものを特定すればよい。また、ＣＦ案件ＤＢ１２３に記録されているＣＦ案件のうち、不成立案件を抽出するには、募集金額フィールド１２３６に記録されている金額に対する、出資金額フィールドに記録されている金額の割合（達成率）が所定の割合（通常は１００％）未満であって、募集終了日フィールド１２３９に記録されている日付を経過しているものを特定すればよい。
【０１７３】
ラジオボタン９０２は、ＣＦ案件の検索条件として募集期間を選択するためのものであり、同図の例では、募集中、募集終了、又は、両方を含む、のうちのいずれかを選択できる。
【０１７４】
ラジオボタン９０３は、ＣＦ案件の検索条件として達成率を選択するためのものであり、同図の例では、３０%未満、３０％〜５０％未満、５０％〜８０％未満、８０％〜１００％未満、１００％以上、又は、達成率指定を選択できる。なお、達成率指定を選択した場合、達成率を具体的に入力することができる。
【０１７５】
ラジオボタン９０４は、ＣＦ案件の検索条件としてカテゴリを選択するためのものであり、同図の例では、全て選択、農業・水産、林業、漁業、鉱業、建設業、製造業、電機・ガス、運輸・通信、卸・小売、飲食業、金融・保険、不動産、サービス業、又は、その他を選択できる。なお、ＣＦ案件のカテゴリは、ＣＦ案件情報分析部１１３が案件概要に基づいて分類するが、ＣＦ企業側で予め分類するようにしてもよい。
【０１７６】
ラジオボタン９０５は、ＣＦ案件の検索条件として案件主催者（資金需要者）のエリアを選択するためのものであり、同図の例では、全て選択、北海道、東北、関東、中部、東海、近畿、中国・四国、九州、沖縄、又は住所コード入力を選択できる。なお、住所コード入力を選択した場合、住所コード入力欄９０５１には複数の住所コードを「，」等で区切って入力することができ、これにより案件主催者のエリアを指定することができる。
【０１７７】
ラジオボタン９０６は、ＣＦ案件の検索条件として案件主催者が過去に申し込みを行ったＣＦ案件の件数を選択するためのものであり、同図の例では、初回、３回以上、又は５回以上を選択できる。
【０１７８】
クリアボタン９０７は、ラジオボタン９０１〜９０６における選択をクリアするためのものであり、クリアボタン９０７が押下された場合、ラジオボタン９０１〜９０６がいずれも選択されていない状態とすることができる。
【０１７９】
一覧作成ボタン９０８は、ＣＦ案件一覧画面の作成を要求するためのものであり、ラジオボタン９０１〜９０６を用いて検索条件が選択された状態で一覧作成ボタン９０８が押下された場合、該検索条件に合致するＣＦ案件一覧がＣＦ案件管理部１１２によって生成されて金融機関装置４０に供給され、新たなＣＦ案件一覧画面６０が表示部４４に表示される。
【０１８０】
閉じるボタン９０９が押下された場合、表示中の一覧要求画面９０が閉じられて（消去されて）、表示部４４には、事業性評価情報参照画面８０が表示される。
【０１８１】
金融機関装置４０では、改めて表示されたＣＦ案件一覧画面６０から再びＣＦ案件を選択することにより、選択したＣＦ案件に対応する事業性評価情報閲覧画面７０を表示することができる。
【０１８２】
したがって、金融機関では、成立済みのＣＦ案件だけでなく、未成立や不成立のＣＦ案件、さらに、様々な条件を満たすＣＦ案件についても事業性評価情報閲覧画面７０を得ることができ、融資先として有望なＣＦ案件や資金需要者を見出すことが可能となる。
【０１８３】
＜まとめ＞
以上説明したように、事業性評価支援装置１０は、複数のＣＦ企業から集めた多数のＣＦ案件を、複数の金融機関に提示することで、資金需要者に対して事業資金や運転資金等を融資する金融機関を募ることができる。また、金融機関の融資審査において有益な事業性評価情報を金融機関に提供できる。
【０１８４】
また、事業性評価支援装置１０は、ＣＦ案件に対する事業性評価情報だけでなく、出資者の属性情報も金融機関に提供できる。
【０１８５】
また、事業性評価支援装置１０は、出資金額が募集金額に達していないが、金融機関が融資を行なうことで新事業の立上げに至る可能性があるＣＦ案件を後押しすることを目的に、ＣＦ案件に興味を持った金融機関に対して、該ＣＦ案件の申込者が過去に申し込みを行ったＣＦ案件、該ＣＦ案件と類似する（同一カテゴリに属する）他のＣＦ案件、出資者の属性分析結果、資金需要者の属性情報等を提供することもできる。これらの情報を取得した金融機関では、募集金額に至っていないＣＦ案件の申込者に対して直接コンタクトをとっても良い。
【０１８６】
また、金融機関は、資金需要者が融資相談にきた際、従来の融資審査（与信の供与）では融資の対象とならなかったり（与信が供与できなかったり）、資金需要者が必要とする資金に対して満額の融資を行えなかったりした場合、該資金需要者にＣＦ企業の利用を促したり、ＣＦ企業を紹介したりして、ＣＦ案件としての事業性評価情報を得た上で改めて融資審査することができる。この場合、資金需要者にとっては、金融機関の与信金額（融資金額）では不足する資金をＣＦにより調達し、事業を開始する事が可能となる。
【０１８７】
さらに、事業性評価支援装置１０は、同一の資金需要者による過去のＣＦ案件の成否、リターン実績等の情報を金融機関だけでなく出資者にも提供するようにしてもよい。その場合、出資者は、同一の資金需要者による過去のＣＦ案件の成否に基づき、出資を判断することができる。
【０１８８】
また、出資者は、資金需要者が円滑に資金調達することで支援する事業が実現する可能性が高くなるので、リターン受け取りの増加が期待できる。
【０１８９】
資金需要者は、ＣＦだけでなく、金融機関からの資金調達が期待できるので、より大きな事業、継続的な事業展開の可能性を高めることができる。
【０１９０】
ＣＦ企業は、提携していない金融機関との案件協業の機会が増加する。また、目標額に至らず、従来は成立しなかったＣＦ案件が、金融機関からの支援により成立することが期待できる。
【０１９１】
ところで、上述した事業性評価支援装置１０、ＣＦ企業装置２０、金融機関装置４０については、ハードウェアにより構成することもできるし、ソフトウェアにより実現することもできる。事業性評価支援装置１０等をソフトウェアにより実現する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータ等が含まれる。
【０１９２】
図２２は、事業性評価支援装置１０等をプログラムにより実現するコンピュータのハードウェアの構成例を示すブロック図である。
【０１９３】
このコンピュータ１０００において、ＣＰＵ（Central Processing Unit）１００１，ＲＯＭ（Read Only Memory）１００２，ＲＡＭ（Random Access Memory）１００３は、バス１００４により相互に接続されている。
【０１９４】
バス１００４には、さらに、入出力インターフェース１００５が接続されている。入出力インターフェース１００５には、入力部１００６、出力部１００７、記憶部１００８、通信部１００９、およびドライブ１０１０が接続されている。
【０１９５】
入力部１００６は、キーボード、マウス、マイクロフォン等より成り、入力部３１２（図３）として機能する。出力部１００７は、ディスプレイ、スピーカ等より成り、表示部３１３（図３）として機能する。
【０１９６】
記憶部１００８は、ＨＤＤ、ＳＳＤなどから成り、事業性評価支援装置１０等の記憶部として機能する。通信部１００９は、ＬＡＮ  Ｉ／ＦやＷｉ−Ｆｉ  Ｉ／Ｆから成り、事業性評価支援装置１０等の通信部として機能する。ドライブ１０１０は、磁気ディスク、光ディスク、光磁気ディスク、又は半導体メモリ等のリムーバブルメディア１０１１を駆動する。
【０１９７】
以上のように構成されるコンピュータ１０００では、ＣＰＵ１００１が、例えば、記憶部１００８に記憶されているプログラムを、入出力インターフェース１００５およびバス１００４を介して、ＲＡＭ１００３にロードして実行することにより、事業性評価支援装置１０等の制御部が実現される。
【０１９８】
コンピュータ１０００（ＣＰＵ１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【０１９９】
コンピュータ１０００では、プログラムは、リムーバブルメディア１０１１をドライブ１０１０に装着することにより、入出力インターフェース１００５を介して、記憶部１００８にインストールすることができる。また、プログラムは、有線または無線の伝送媒体を介して、通信部１００９で受信し、記憶部１００８にインストールすることができる。その他、プログラムは、ＲＯＭ１００２や記憶部１００８に、あらかじめインストールしておくことができる。
【０２００】
なお、コンピュータ１０００が実行するプログラムは、本明細書で説明する順序に沿って時系列に処理が行われるプログラムであってもよいし、並列に、あるいは呼び出しが行われたとき等の必要なタイミングで処理が行われるプログラムであってもよい。
【０２０１】
本明細書に記載された効果はあくまで例示であって限定されるものではなく、他の効果があってもよい。
【０２０２】
本発明は、上記した実施形態に限定されるものではなく、様々な変形例が含まれる。例えば、上記した各実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【０２０３】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現されてもよい。各機能を実現するプログラム、テーブル、ファイル等の情報は、メモリや、ハードディスク、ＳＳＤ(Solid State Drive)等の記憶装置、または、ＩＣカード、ＳＤカード、ＤＶＤ等の記録媒体に置くことができる。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０２０４】
１・・・インターネット、１０・・・事業性評価支援装置、１１・・・制御部、１２・・・記憶部、１３・・・通信部、２０・・・ＣＦ企業装置、２１・・・制御部、２２・・・記憶部、２３・・・通信部、３０・・・出資者装置、４０・・・金融機関装置、４１・・・制御部、４２・・・記憶部、４３・・・通信部、４４・・・表示部、５０・・・資金需要者装置、６０・・・案件一覧画面、７０・・・事業性評価情報閲覧画面、８０・・・事業性評価情報参照画面、９０・・・一覧要求画面、１１１・・・認証部、１１２・・・案件管理部、１１３・・・案件情報分析部、１１４・・・出資情報取得部、１１５・・・現況情報処理部、１１６・・・属性情報処理部、１１７・・・事業性評価部、１１８・・・出資者登録部、１２１・・・企業テーブル、１２７・・・一時保管ファイル、２１１・・・案件受付審査部、２１２・・・出資受付部、２１３・・・事業資金管理部、２１４・・・案件情報提供部、２１５・・・出資情報提供部、４１１・・・審査部、４１２・・・事業性評価情報取得部、７００・・・表示案件ＩＤ表示欄、７０１・・・事業計画情報表示欄、７０２・・・ＵＲＬボタン、７０３・・・案件名称表示欄、７０４・・・案件主催者表示欄、７０５・・・参照ボタン、７０６・・・募集金額表示欄、７０７・・・出資現在金額表示欄、７０８・・・出資者数表示欄、７０９・・・企業名表示欄、７１０・・・参照ボタン、７１１・・・ファンド形態表示欄、７１２・・・リターン内容表示欄、７１３・・・参照ボタン、７１４・・・達成率表示欄、７１５・・・日数表示欄、７１６・・・案件概要表示欄、７１７・・・案件評価情報表示欄、７１８・・・評価ランク表示欄、７１９・・・将来性予想表示欄、７２０・・・同一カテゴリ件数表示欄、７２１・・・参照ボタン、７２２・・・主催者過去案件数表示欄、７２３・・・参照ボタン、７２４・・・男女構成表示欄、７２５・・・年代構成表示欄、７２６・・・参照ボタン、７２７・・・居住地表示欄、７２８・・・参照ボタン、７２９・・・出資回数表示欄、７３０・・・参照ボタン、７３１・・・詳細ボタン、７３２・・・前案件ボタン、７３３・・・事業評価情報参照ボタン、７３４・・・次案件ボタン、７３５・・・閉じるボタン、８０１・・・ラジオボタン、８０２・・・ラジオボタン、８０３・・・送信ボタン、８０４・・・閉じるボタン、９０１〜６・・・ラジオボタン、９０７・・・クリアボタン、９０８・・・一覧作成ボタン、９０９・・・閉じるボタン、１０００・・・コンピュータ、１００４・・・バス、１００５・・・入出力インターフェース、１００６・・・入力部、１００７・・・出力部、１００８・・・記憶部、１００９・・・通信部、１０１０・・・ドライブ、１０１１・・・リムーバブルメディア
【図１】
2019125046.tif 000003
【図２】
2019125046.tif 000004
【図３】
2019125046.tif 000005
【図４】
2019125046.tif 000006
【図５】
2019125046.tif 000007
【図６】
2019125046.tif 000008
【図７】
2019125046.tif 000009
【図８】
2019125046.tif 000010
【図９】
2019125046.tif 000011
【図１０】
2019125046.tif 000012
【図１１】
2019125046.tif 000013
【図１２】
2019125046.tif 000014
【図１３】
2019125046.tif 000015
【図１４】
2019125046.tif 000016
【図１５】
2019125046.tif 000017
【図１６】
2019125046.tif 000018
【図１７】
2019125046.tif 000019
【図１８】
2019125046.tif 000020
【図１９】
2019125046.tif 000021
【図２０】
2019125046.tif 000022
【図２１】
2019125046.tif 000023
【図２２】
2019125046.tif 000024